(57)【特許請求の範囲】
【請求項１】
局側装置と接続された局側光スイッチと、単一の前記局側装置と通信する加入者側装置と接続された加入者側光スイッチと、システムを統括して制御するコントローラを備えるリング型光アクセスネットワークシステムであって、
前記局側装置は、前記コントローラと接続され、前記コントローラの指示に従って前記加入者側装置と通信し、通信断発生時に前記コントローラへ通信断を通知し、
前記局側光スイッチは、前記コントローラと接続され、前記コントローラの指示に従って前記局側装置と前記加入者側装置の信号を各ポートに振り分け、前記局側装置の光信号を受信できない場合に前記コントローラへ通知し、
前記加入者側光スイッチは、前記コントローラと接続され、前記コントローラの指示に従って前記局側装置と前記加入者側装置の信号を各ポートに振り分け、
前記コントローラは、ファイバ故障発生時において、前記局側装置の通信断の通知を契機に、前記局側光スイッチが前記局側装置からの光信号を受信できている場合は、通信断が発生した前記局側装置および前記加入者側装置の経路を冗長経路に変更し、前記局側光スイッチが前記局側装置からの光信号を受信できてない場合は、前記局側装置の通信設定情報を他の局側装置へ移行するとともに経路を変更する指示を出力する
リング型光アクセスネットワークシステム。
【請求項２】
局側装置と接続された局側光スイッチと、単一の前記局側装置と通信する加入者側装置と接続された加入者側光スイッチと、システムを統括して制御するコントローラを備えるリング型光アクセスネットワークシステムにおける前記コントローラであって、
前記局側装置と接続し、前記局側装置に前記加入者側装置との通信の指示を出力するとともに、前記局側装置から当該局側装置の通信断発生時に通信断の通知を受信する手段と、
前記局側光スイッチと接続し、前記局側光スイッチに前記局側装置と前記加入者側装置の信号の各ポートへの振り分けの指示を出力するとともに、前記局側光スイッチから当該局側光スイッチが前記局側装置の光信号を受信できない場合に通知を受信する手段と、
前記加入者側光スイッチと接続し、前記加入者側光スイッチに前記局側装置と前記加入者側装置の信号の各ポートへの振り分けの指示を出力する手段と
を備え、
ファイバ故障発生時において、前記局側装置の通信断の通知を契機に、前記局側光スイッチが前記局側装置からの光信号を受信できている場合は、通信断が発生した前記局側装置および前記加入者側装置の経路を冗長経路に変更し、前記局側光スイッチが前記局側装置からの光信号を受信できてない場合は、前記局側装置の通信設定情報を他の局側装置へ移行するとともに経路を変更する指示を出力する
コントローラ。
【請求項３】
局側装置と接続された局側光スイッチと、単一の前記局側装置と通信する加入者側装置と接続された加入者側光スイッチと、システムを統括して制御するコントローラを備えるリング型光アクセスネットワークシステムが行う光通信方法であって、
前記局側装置が、前記コントローラと接続され、前記コントローラの指示に従って前記加入者側装置と通信し、通信断発生時に前記コントローラへ通信断を通知するステップと、
前記局側光スイッチが、前記コントローラと接続され、前記コントローラの指示に従って前記局側装置と前記加入者側装置の信号を各ポートに振り分け、前記局側装置の光信号を受信できない場合に前記コントローラへ通知するステップと、
前記加入者側光スイッチが、前記コントローラと接続され、前記コントローラの指示に従って前記局側装置と前記加入者側装置の信号を各ポートに振り分けるステップと、
前記コントローラが、ファイバ故障発生時において、前記局側装置の通信断の通知を契機に、前記局側光スイッチが前記局側装置からの光信号を受信できている場合は、通信断が発生した前記局側装置および前記加入者側装置の経路を冗長経路に変更し、前記局側光スイッチが前記局側装置からの光信号を受信できてない場合は、前記局側装置の通信設定情報を他の局側装置へ移行するとともに経路を変更する指示を出力するステップと
を有する光通信方法。
【発明の詳細な説明】
【技術分野】
【０００１】
本発明は、リング型光アクセスネットワークシステム、局側装置、加入者側装置、局側光スイッチ、加入者側光スイッチ、コントローラ、光通信方法に関する。
【背景技術】
【０００２】
ＦＴＴＨ（Fiber To The Home）やモバイルサービスにおける高速インターネットの利用者は上昇を続けており、人々の生活に欠くことのできないものである。一方で、ＦＴＴＨ・モバイル・法人サービスのネットワークはそれぞれ独立して構築されており、運用面において非効率である。そこで、１つの装置で複数のサービスを収容するアクセスネットワークが提案されている（例えば、非特許文献１参照）。さらに、マルチサービス収容が可能なアクセスネットワークを実現するために、複数の波長を利用するＷＤＭ（Wavelength Division Multiplex）／ＴＤＭ（Time Division Multiplexing）−ＰＯＮ（Passive Optical Networks）が、ＩＴＵ−Ｔ（International Telecommunication Union Telecommunication Standardization Sector）にて標準化されている（例えば、非特許文献２参照）。
【０００３】
一方で、１つのネットワークに複数のサービスを収容することにより、故障によって各サービスに与える影響の範囲は、既存のネットワークにおける故障による影響の範囲と比較して大きいものとなる。現在のアクセスネットワークでは、ファイバおよび装置の二重化によって冗長化を行うことは可能である。しかし、全てのファイバおよび装置を全て二重化することは非効率であるため、非特許文献１のような光スイッチを用いたリング型アクセスネットワークを構築することで、効率的な冗長化が可能となる。
【０００４】
また、故障箇所によって、冗長経路へ切り替えることで対応可能な場合と、異なる局側装置へ移行する必要がある場合が存在するため、故障箇所に合わせて適切な対処を選択する必要がある。
【先行技術文献】
【非特許文献】
【０００５】
【非特許文献１】S. Kimura, "Elastic Lambda Aggregation Network (EλAN) -Proposal for Future Optical Access Network-," OECC2013, WP4-4, 2013
【非特許文献２】ＩＴＵ−Ｔ  Ｇ．９８９．１
【発明の概要】
【発明が解決しようとする課題】
【０００６】
ＷＤＭ−ＰＯＮと光スイッチを用いたリング型アクセスネットワークにおいて、ファイバ故障が発生した際に、故障箇所が特定できない場合には、故障した現地に赴き確認作業が必要となり、故障に対して遠隔で適切な対処ができないという問題がある。
【０００７】
本発明は、このような事情に鑑みてなされたもので、ファイバ故障発生時に現地へ赴かずに適切な冗長経路に切り替えることで通信を復旧することができるリング型光アクセスネットワークシステム、局側装置、加入者側装置、局側光スイッチ、加入者側光スイッチ、コントローラ、光通信方法を提供することを目的とする。
【課題を解決するための手段】
【０００８】
本発明の一態様は、局側装置と接続された局側光スイッチと、加入者側装置と接続された加入者側光スイッチと、システムを統括して制御するコントローラを備えるリング型光アクセスネットワークシステムであって、前記局側装置は、前記コントローラと接続され、前記コントローラの指示に従って前記加入者側装置と通信し、通信断発生時に前記コントローラへ通信断を通知し、前記加入者側装置は、単一の前記局側装置と通信し、前記局側光スイッチは、前記コントローラと接続され、前記コントローラの指示に従って前記局側装置と前記加入者側装置の信号を各ポートに振り分け、前記局側装置の光信号が受信できない場合に前記コントローラへ通知し、前記加入者側光スイッチは、前記コントローラと接続され、前記コントローラの指示に従って前記局側装置と前記加入者側装置の信号を各ポートに振り分け、前記コントローラは、ファイバ故障発生時において、前記局側装置の通信断の通知を契機に、前記局側光スイッチが前記局側装置からの光信号を受信できている場合は、通信断が発生した前記局側装置および前記加入者側装置の経路を冗長経路に変更し、前記局側光スイッチが前記局側装置からの光信号を受信できてない場合は、前記局側装置の通信設定情報を他の局側装置へ移行するとともに経路を変更する指示を出力するリング型光アクセスネットワークシステムである。
【０００９】
本発明の一態様は、局側装置と接続された局側光スイッチと、加入者側装置と接続された加入者側光スイッチと、システムを統括して制御するコントローラを備えるリング型光アクセスネットワークシステムにおいて、前記加入者側装置と複数の波長で光信号の送受信を行い、前記コントローラへ通信断を通知し、前記コントローラの指示に従って通信設定情報を送信および受信するとともに通信する波長を変更する前記局側装置であって、前記加入者側装置へ光信号を送信する複数の光信号送信部と、前記加入者側装置から光信号を受信する複数の光信号受信部と、前記加入者側装置と通信するために使用する光信号を合分波する光波長合分波部と、故障により通信断が発生した場合に通信断を検知し通知する通信断検知部と、前記加入者側装置との通信設定情報を保持し、前記コントローラの指示に従って通信設定情報を送信および受信する設定管理部と、前記コントローラの指示に従って波長を変更する波長制御部と、前記コントローラの指示を受信し、前記設定管理部もしくは前記波長制御部へ送信し、前記設定管理部からの通信設定情報を送信するコントローラ信号送受信部とを備えた局側装置である。
【００１０】
本発明の一態様は、局側装置と接続された局側光スイッチと、加入者側装置と接続された加入者側光スイッチと、システムを統括して制御するコントローラを備えるリング型光アクセスネットワークシステムにおいて、単一の前記局側装置と複数の波長で光信号の送受信を行い、通信断を検知した場合には他の波長に変更する前記加入者側装置であって、通信断を検知し、通知する通信断検知部と、前記通信断検知部の通知を受信し、波長変更指示を送信する波長制御部と、前記波長制御部の指示に従って送信する波長を変更する波長可変光信号送信部と、前記波長制御部の指示に従って受信する波長を変更する波長可変光信号受信部とを備えた加入者側装置である。
【００１１】
本発明の一態様は、局側装置と接続された局側光スイッチと、加入者側装置と接続された加入者側光スイッチと、システムを統括して制御するコントローラを備えるリング型光アクセスネットワークシステムにおいて、前記局側装置と、前記局側光スイッチと、前記加入者側光スイッチと、前記コントローラと接続され、前記コントローラの指示に従って波長ごとに出力するポートを変更し、１ヶ所以上のポートにおいて入力する光信号の通信断を検知し、前記コントローラへ通信断を通知する前記局側光スイッチであって、前記局側装置と接続する局側装置ポートと、前記局側光スイッチまたは前記加入者側光スイッチと接続する複数の光スイッチポートと、前記コントローラの指示に従って波長毎に出力するポートを変更する波長切替部と、前記局側装置ポートから入力する光信号を分波する光分波部と、前記光分波部から入力する光信号の有無を判断し、通信断発生時に前記コントローラへ通信断を通知する光検出部と、前記コントローラの指示を受信し、前記波長切替部に送信し、前記光検出部より受信した通信断の通知を前記コントローラへ送信するコントローラ信号送受信部とを備えた局側光スイッチである。
【００１２】
本発明の一態様は、局側装置と接続された局側光スイッチと、加入者側装置と接続された加入者側光スイッチと、システムを統括して制御するコントローラを備えるリング型光アクセスネットワークシステムにおいて、前記加入者側装置と、前記局側光スイッチと、前記加入者側光スイッチと、前記コントローラと接続され、前記コントローラの指示に従って波長ごとに出力するポートを変更する前記加入者側光スイッチであって、前記加入者側装置と接続する加入者側装置ポートと、前記局側光スイッチまたは前記加入者側光スイッチと接続する複数の光スイッチポートと、前記コントローラの指示に従って波長毎に出力するポートを変更する波長切替部と、前記コントローラの指示を受信し、前記波長切替部に送信するコントローラ信号送受信部とを備えた加入者側光スイッチである。
【００１３】
本発明の一態様は、局側装置と接続された局側光スイッチと、加入者側装置と接続された加入者側光スイッチと、システムを統括して制御するコントローラを備えるリング型光アクセスネットワークシステムにおいて、前記局側装置と、前記局側光スイッチと、前記加入者側光スイッチと接続し、前記局側装置の通信断の通知を契機に、通信経路を変更する指示を出力する前記コントローラであって、前記局側装置および前記局側光スイッチの通信断を受信し、前記局側光スイッチの通信断の有無によって故障箇所を局側かもしくは加入者側かを判断して通知する故障箇所判断部と、前記故障箇所の通知を受信し、冗長経路へ切り替えるために前記局側光スイッチおよび前記加入者側光スイッチへ波長ごとの出力するポートを算出して結果を送信する通信経路算出部と、前記通信経路算出部より受信した結果を、前記局側装置および前記局側光スイッチ、前記加入者側光スイッチへ指示を送信する波長切替指示部と、前記通信経路算出部の結果を受信した際に、前記局側装置の通信設定情報を他の前記局側装置へ送信する設定情報管理部と、前記局側装置より通信断の通知を故障箇所判断部へ送信し、前記設定情報管理部からの要求を前記局側装置へ送信し、前記局側装置からの通信設定情報を前記設定情報管理部へ送信し、前記波長切替指示部の指示を前記局側装置へ送信する局側装置ポートと、前記局側光スイッチからの受信した通信断の通知を前記故障箇所判断部へ送信し、前記波長切替指示部からの指示を前記局側光スイッチおよび前記加入者側光スイッチへ送信する光スイッチポートとを備えたコントローラである。
【００１４】
本発明の一態様は、局側装置と接続された局側光スイッチと、加入者側装置と接続された加入者側光スイッチと、システムを統括して制御するコントローラを備えるリング型光アクセスネットワークシステムが行う光通信方法であって、前記局側装置が、前記コントローラと接続され、前記コントローラの指示に従って前記加入者側装置と通信し、通信断発生時に前記コントローラへ通信断を通知するステップと、前記加入者側装置が、単一の前記局側装置と通信するステップと、前記局側光スイッチが、前記コントローラと接続され、前記コントローラの指示に従って前記局側装置と前記加入者側装置の信号を各ポートに振り分け、前記局側装置の光信号が受信できない場合に前記コントローラへ通知するステップと、前記加入者側光スイッチが、前記コントローラと接続され、前記コントローラの指示に従って前記局側装置と前記加入者側装置の信号を各ポートに振り分けるステップと、前記コントローラが、ファイバ故障発生時において、前記局側装置の通信断の通知を契機に、前記局側光スイッチが前記局側装置からの光信号を受信できている場合は、通信断が発生した前記局側装置および前記加入者側装置の経路を冗長経路に変更し、前記局側光スイッチが前記局側装置からの光信号を受信できてない場合は、前記局側装置の通信設定情報を他の局側装置へ移行するとともに経路を変更する指示を出力するステップとを有する光通信方法である。
【発明の効果】
【００１５】
本発明によれば、ファイバ故障発生時の対処として冗長経路へ切替を行う場合と、局側装置の通信設定情報を他の局側装置へ移行する場合を、故障したファイバの場所ごとに対処手法を変更することによって、故障に対して適切な対処が可能となるため、現地へ赴かずに通信復旧を実現することができるという効果が得られる。
【図面の簡単な説明】
【００１６】
【図１】本発明の一実施形態によるリング型アクセスネットワークシステムの構成を示すブロック図である。
【図２】図１に示す局側装置４１の構成を示す図である。
【図３】図１に示す加入者側装置１−１の構成を示すブロック図である。
【図４】図１に示す局側光スイッチ３１の構成を示すブロック図である。
【図５】図１に示す加入者側光スイッチ２１の構成を示すブロック図である。
【図６】図１に示す加入者側光スイッチ２１の構成を示すブロック図である。
【図７】図１に示すリング型光アクセスネットワークシステムにおける故障発生時の切替動作を示すフローチャートである。
【図８】局側光スイッチ３１と加入者側光スイッチ２１を接続する光ファイバ伝送路６１が故障した場合における切替動作の例を示す図である。
【図９】局側光スイッチ３１と局側装置４１を接続するファイバが故障した場合における切替動作の例を示す図である。
【図１０】リング型アクセスネットワーク構成の変形例を示すブロック図である。
【図１１】リング型光アクセスネットワークの変形例における加入者側光スイッチ２１の構成を示すブロック図である。
【図１２】加入者側装置１−１と加入者側光スイッチ２１を接続するファイバが故障した場合における切替動作の例を示す図である。
【発明を実施するための形態】
【００１７】
以下、図面を参照して、本発明の一実施形態によるリング型光アクセスネットワークシステムを説明する。図１は同実施形態のリング型アクセスネットワークシステムの構成を示すブロック図である。図１において、１−１、１−２、・・・、Ｎ−Ｍは、Ｎ×Ｍ（Ｎ、Ｍは２以上の自然数）台の加入者側装置である。符号１１、１２、１３は、Ｎ個の光合分波部である。符号２１、２２、２３は、加入者側光スイッチである。
【００１８】
符号３１、３２、３３は、局側光スイッチである。符号４１、４２、４３は、局側装置である。符号５１は、コントローラである。符号６１はリング状の光ファイバ伝送路である。コントローラ５１は各局側装置および光スイッチと接続しており、局側装置と加入者側装置が通信に使用する波長および経由する光スイッチからなる通信経路情報を保持している。各加入者側装置および局側装置はそれぞれ単一の光スイッチと接続している。
【００１９】
次に、図２を参照して、図１に示す局側装置の構成を説明する。図２は、図１に示す局側装置４１の構成を示す図である。他の２つの局側装置４２、４３についても同様の構成であるため、ここでは詳細な説明を省略する。
【００２０】
局側装置４１はそれぞれ使用する波長の異なる複数の光信号送信部４１１、４１３、４１５と、光信号受信部４１２、４１４、４１６と、波長制御部４１７と、設定管理部４１８と、コントローラ信号送受信部４１９と、通信断検知部４２０と、光波長合分波部４２１から構成される。
【００２１】
各光信号送信部４１１、４１３、４１５は、単一もしくは複数の加入者側装置へ光信号を送信し、加入者側装置へ送信する信号の有無に関わらず常時発光する。各光信号受信部４１２、４１４、４１６は、単一もしくは複数の加入者側装置から光信号を受信する。
【００２２】
波長制御部４１７は、コントローラ信号送受信部４１９で受信した波長切替信号に従って送信および受信する光信号の波長を変更する。設定管理部４１８は、コントローラ信号送受信部４１９で受信した通信に必要な設定情報の要求に従って、コントローラ信号送受信部４１９を通して設定情報を送信する。
【００２３】
コントローラ信号送受信部４１９は、コントローラ５１からの信号を受信して波長制御部４１７へ波長切替指示を送信、および設定管理部４１８へ設定情報の要求指示を送信するとともに、通信断検知部４２０からの通信断情報、および設定管理部４１８からの設定情報を受信し、コントローラ５１へ送信する。
【００２４】
通信断検知部４２０は、故障によって加入者側装置との通信が切断され、一定時間通信を開始しない場合に、通信できない現在の波長を、コントローラ信号送受信部４１９を通じてコントローラ５１へ送信する。光波長合分波部４２１は、複数の光信号送信部４１１、４１３、４１５より発振する光波長を合波して光ファイバ伝送路６１へ挿入するとともに、複数の加入者側装置より発振された光波長を分波して、光信号受信部４１２、４１４、４１６へ伝送する。
【００２５】
次に、図３を参照して、図１に示す加入者側装置１−１の構成を説明する。他の加入者側装置の構成についても同様であるのでここでは、詳細な説明を省略する。図３は、図１に示す加入者側装置１−１の構成を示すブロック図である。加入者側装置１−１は、波長可変光信号送信部１１と、可変波長光信号受信部１２と、通信断検知部１３と、波長制御部１４とから構成される。波長可変光信号送信部１１は、局側装置へ光信号を送信し、波長制御部１４の指示に従って、送信する波長を変更する。波長可変光信号受信部１２は、局側装置から光信号を受信し、波長制御部１４の指示に従って、受信する波長を変更する。
【００２６】
通信断検知部１３は、故障によって局側装置との通信が切断され、一定時間通信を開始しない場合に、通信できない現在の波長を波長制御部１４へ送信する。波長制御部１４は、通信断検知部１３より通信を開始しない波長を確認し、異なる波長へ切り替えるよう波長可変光信号送信部１１および波長可変光信号受信部１２へ指示を送信する。
【００２７】
次に、図４を参照して、図１に示す局側光スイッチ３１の構成を説明する。他の局側光スイッチ３２、３３についても同様であるのでここでは、詳細な説明を省略する。図４は、図１に示す局側光スイッチ３１の構成を示すブロック図である。局側光スイッチ３１は、波長切替部３１１と、局側装置ポート３１２と、２つの光スイッチポート３１３、３１４と、光分波部３１５と、光検出部３１６と、コントローラ信号送受信部３１７とから構成される。
【００２８】
波長切替部３１１は、光スイッチポート３１３、３１４もしくは光分波部３１５からの光信号を、コントローラ信号送受信部３１７より受信したコントローラ５１からの指示に従って、該当するポートへの切替を行う。局側装置ポート３１２は、局側装置４１から受信した光信号を光分波部３１５へ、波長切替部３１１から受信した光信号を接続する局側装置４１へ伝送する。
【００２９】
光スイッチポート３１３、３１４は、光スイッチから受信した光信号を波長切替部３１１へ、波長切替部３１１から受信した光信号を接続する光スイッチへ伝送する。光分波部３１５は、局側装置ポート３１２より受信した光信号を、光検出部３１６と波長切替部３１１へ光を分波して送信する。
【００３０】
光検出部３１６は、光分波部３１５からの局側装置４１が発信した光信号を受信し、光信号が受信できなくなった場合に、コントローラ信号送受信部３１７を介して、局側装置４１からの光信号が受信できなくなったことをコントローラ５１へ通知する。コントローラ信号送受信部３１７は、光検出部３１６から受信した局側装置の光信号が受信できないという情報をコントローラ５１へ通知し、またコントローラ５１からの波長切替指示を波長切替部３１１へ送信する。
【００３１】
次に、図５を参照して、図１に示す加入者側光スイッチ２１の構成を説明する。他の加入者側光スイッチ２２、２３についても同様であるのでここでは、詳細な説明を省略する。図５は、図１に示す加入者側光スイッチ２１の構成を示すブロック図である。加入者側光スイッチ２１は、波長切替部２１１と、加入者側装置ポート２１２と、２つの光スイッチポート２１３、２１４と、コントローラ信号送受信部２１５から構成される。
【００３２】
波長切替部２１１は、光スイッチポート２１３、２１４もしくは加入者側装置ポート２１２からの光信号を、コントローラ信号送受信部２１５より受信したコントローラ５１からの指示に従って、該当するポートへの切替を行う。加入者側装置ポート２１２は、例えば加入者側装置１−１から受信した光信号を波長切替部２１１へ、波長切替部２１１から受信した光信号を接続する例えば加入者側装置１−１へ伝送する。
【００３３】
光スイッチポート２１３、２１４は、光スイッチから受信した光信号を波長切替部２１１へ、波長切替部２１１から受信した光信号を接続する光スイッチへ伝送する。コントローラ信号送受信部２１５は、コントローラ５１からの波長切替指示を波長切替部２１１へ送信する。
【００３４】
次に、図６を参照して、図１に示すコントローラ５１の構成を説明する。図６は、図１に示すコントローラ５１の構成を示す図である。コントローラ５１は、故障箇所判断部５１１と、通信経路算出部５１２と、波長切替指示部５１３と、設定情報管理部５１４と、光スイッチポート５１５、５１６、５１７と、局側装置ポート５１８、５１９、５２０から構成される。
【００３５】
故障箇所判断部５１１は、局側装置４１〜４３からの通信断の情報を局側装置ポート５１８〜５２０より受信し、局側装置ポート５１８〜５２０に接続する局側装置４１〜４３と直結している局側光スイッチ３１〜３３における局側装置４１〜４３からの光信号の受信有無を確認し、光信号が継続して受信できている場合は、光信号の経路変更指示を、光信号が受信できない場合は、局側装置４１〜４３の変更指示を通信経路算出部５１２へ送信する。
【００３６】
通信経路算出部５１２は、各局側装置４１〜４３と加入者側装置１−１〜Ｎ−Ｍがどの光スイッチを経由して通信しているかの経路情報を保持し、故障箇所判断部５１１からの経路変更指示もしくは局側装置４１〜４３の変更指示に従い新しい通信経路を算出し、新しい通信経路を波長切替指示部５１３へ送信し、局側装置４１〜４３の変更が必要な場合は、設定情報管理部５１４へ局側装置４１〜４３の設定管理情報の入れ替え指示を送信する。
【００３７】
波長切替指示部５１３は、通信経路算出部５１２から受信した新しい通信経路で局側装置４１〜４３と加入者側装置１−１〜Ｎ−Ｍが通信可能となる波長と通信経路を算出し、局側装置４１〜４３では設定情報管理部５１４より新しく受信した設定情報で使用する波長を指定する情報を局側装置ポート５１８〜５２０へ送信し、光スイッチでは算出した波長の通過するポートを指定する情報を光スイッチポート５１５〜５１７へ送信する。
【００３８】
設定情報管理部５１４では、通信経路算出部５１２より受信した局側装置４１〜４３の設定情報の入れ替え指示に従って局側装置４１〜４３に対する設定情報の要求指示を局側装置ポート５１８〜５２０へ送信し、この要求に従って局側装置４１〜４３より送信された設定情報を受信し、この要求によって受信した設定情報新しい局側装置４１〜４３へ送信する。
【００３９】
光スイッチポート５１５〜５１７は、局側光スイッチ３１〜３３もしくは加入者側スイッチ２１〜２３のコントローラ信号送受信部３１７、２１５に接続し、波長切替指示部５１３からの波長切替指示を送信し、局側光スイッチ３１〜３３からの局側装置４１〜４３からの光信号が受信不可の情報を受信する。
【００４０】
局側装置ポート５１８〜５２０は、局側装置４１〜４３のコントローラ信号送受信部４１９と接続し、設定情報管理部５１４からの指示に従って局側装置４１〜４３へ設定情報の要求指示を送信し、局側装置４１〜４３から送信された設定情報を設定情報管理部５１４へ送信し、設定情報管理部５１４より送信された追加する局側装置４１〜４３の設定情報を局側装置４１〜４３へ送信し、波長切替指示部５１３より送信された波長切替指示を局側装置４１〜４３へ送信する。
【００４１】
次に、図７を参照して、図１に示すリング型光アクセスネットワークシステムにおける故障発生時の切替動作を説明する。図７は、図１に示すリング型光アクセスネットワークシステムにおける故障発生時の切替動作を示すフローチャートである。
【００４２】
まず、コントローラ５１が、局側装置ｎ（局側装置４１〜４３のいずれか、ここでは、例えば局側装置４１とする）より波長ｌを使用した通信の切断を受信する（ステップＳ１）。続いて、コントローラ５１は、局側装置４１と接続している局側光スイッチ３１から波長ｌの受光可否を確認する（ステップＳ２）。受光している場合、コントローラ５１は局側光スイッチ３１よりも加入者側で故障が発生していると判断し、波長ｌを用いた通信経路を冗長経路（常用経路の逆回り）へ切替の指示を、各光スイッチへ送信する（ステップＳ３）。
【００４３】
一方、受光していない場合、コントローラ５１は局側装置４１に対して波長ｌを使用した通信の設定情報を要求し、この設定情報を設定情報管理部５１４に複写する（ステップＳ４）。そして、コントローラ５１は、局側装置４１における波長ｌの設定情報を、設定情報管理部５１４から他の局側装置ｎ’における波長ｌ’へ複写することにより設定情報を移行する（ステップＳ５）。また、コントローラ５１は、使用する波長ｌ’へ変更し、各光スイッチへ波長ｌ’の通信経路への変更指示を送信する（ステップＳ６）。各光スイッチはコントローラからの指示に従って、波長ｌ’が通過するポートを設定する。
【００４４】
次に、故障発生時の第１の切替パターンについて説明する。図８は、局側光スイッチ３１と加入者側光スイッチ２１を接続する光ファイバ伝送路６１が故障した場合における切替動作の例を示す図である。
【００４５】
局側装置４１は、波長ｌを用いて、局側光スイッチ３１と加入者側光スイッチ２１を経由して、加入者側装置１−１、１−２、・・・、１−Ｍと通信している。この時、光ファイバ伝送路６１が故障すると、コントローラ５１は局側装置４１より波長ｌの通信断を受信する。コントローラ５１は、局側装置４１と接続している局側光スイッチ３１より波長ｌの検知不可の情報を受信していないことを確認し、局側光スイッチ３１より加入者側で故障が発生したと判断する。コントローラ５１は、波長ｌの通信経路が、局側光スイッチ３１、３２、３３、加入者側光スイッチ２３、２２、２１と順に経由するように、波長ｌの通過する各ポートの変更指示を、各光スイッチへ送信する。各光スイッチの波長ｌの通過するポートの変更が完了し、局側装置４１と加入者側装置１−１、１−２、・・・、１−Ｍの通信が復旧することになる。
【００４６】
次に、故障発生時の第２の切替パターンについて説明する。図９は、局側光スイッチ３１と局側装置４１を接続するファイバが故障した場合における切替動作の例を示す図である。
【００４７】
局側装置４１は、波長ｌを用いて、局側光スイッチ３１と加入者側光スイッチ２１を経由して、加入者側装置１−１、１−２、・・・、１−Ｍと通信している。この時、ファイバが故障すると、コントローラ５１は局側装置４１と局側光スイッチ３１より波長ｌの通信断を受信する。コントローラ５１は、局側光スイッチ３１より局側で故障が発生したと判断する。コントローラ５１は、局側装置４１に対して波長ｌを使用する通信設定情報を要求する。コントローラ５１は、局側装置４２で新しく使用可能な波長ｌ’、もしくは事前に決定した冗長用の波長ｌ’を選択する。コントローラ５１は、設定情報を受信後、局側装置４２へ設定情報とともに選定した波長ｌ’を使用するよう指示を送信する。また、コントローラ５１は、波長ｌ’の通信経路が、局側光スイッチ３２、３３、加入者側光スイッチ２３、２２、２１と順に経由するように、波長ｌ’の通過する各ポートの変更指示を、各光スイッチへ送信する。各光スイッチの波長ｌ’の通過するポートの変更と、局側装置の設定情報を追加が完了し、局側装置４１と加入者側装置１−１、１−２、・・・、１−Ｍの通信が復旧することになる。
【００４８】
次に、図１０を参照して、図１に示すリング型光アクセスネットワークの変形例を説明する。図１０は、リング型アクセスネットワーク構成の変形例を示すブロック図である。コントローラ５１は各局側装置４１〜４３および光スイッチと接続しており、局側装置と加入者側装置が通信に使用する波長および経由する光スイッチからなる通信経路情報を保持している。また、各加入者側装置１−１〜Ｎ−Ｍは複数の加入者側光スイッチ２１〜２３と接続しており、各局側装置４１〜４３はそれぞれ単一の局側光スイッチ３１〜３３と接続している。
【００４９】
次に、図１１を参照して、図１０に示す加入者側光スイッチ２１〜２３の構成を説明する。図１１は、リング型光アクセスネットワークの変形例における加入者側光スイッチ２１の構成を示すブロック図である。他の加入者側光スイッチ２２、２３の構成も同様であるのでここでは詳細な説明を省略する。
【００５０】
変形例における加入者側光スイッチ２１は、波長切替部２１１と、加入者側装置ポート２１２と、２つの光スイッチポート２１３、２１４と、光分波部２１６と、光検出部２１７と、コントローラ信号送受信部２１５から構成される。
【００５１】
波長切替部２１１は、光スイッチポート２１３、２１４もしくは加入者側装置ポート２１２からの光信号を、コントローラ信号送受信部２１５より受信したコントローラ５１からの指示に従って、該当するポートへの切替を行う。加入者側装置ポート２１２は、加入者側装置１−１〜１−Ｍから受信した光信号を波長切替部２１１へ、波長切替部２１１から受信した光信号を接続する加入者側装置１−１〜１−Ｍへ伝送する。
【００５２】
光スイッチポート２１３、２１４は、光スイッチから受信した光信号を光分波部２１６へ、波長切替部２１１から受信した光信号を接続する光スイッチへ伝送する。光分波部２１６は、光スイッチポート２１３より受信した光信号を、光検出部２１７と波長切替部２１１へ光を分波して送信する。
【００５３】
光検出部２１７は、光分波部２１６からの局側装置４１〜４３が発信した光信号を受信し、光信号が受信できなくなった場合に、コントローラ信号送受信部２１５へ、局側装置４１〜４３からの光信号が受信できなくなったことをコントローラ５１へ通知する。
【００５４】
コントローラ信号送受信部２１５は、光検出部２１７から受信した局側装置４１〜４３の光信号が受信できないという情報をコントローラ５１へ通知し、またコントローラ５１からの波長切替指示を波長切替部２１１へ送信する。
【００５５】
次に、図１２を参照して、故障発生時の第３の切替パターンについて説明する。図１２は、加入者側装置１−１と加入者側光スイッチ２１を接続するファイバが故障した場合における切替動作の例を示す図である。
【００５６】
局側装置４１は、波長ｌを用いて、局側光スイッチ３１と加入者側光スイッチ２１を経由して、加入者側装置１−１、１−２、・・・、１−Ｍと通信している。この時、加入者側装置１−１と加入者側光スイッチ２１を接続するファイバが故障すると、コントローラ５１は局側装置４１より波長ｌの通信断を受信する。コントローラ５１は、局側光スイッチ３１および加入者側光スイッチ２１より波長ｌの検知不可の情報を受信していないことを確認し、加入者側光スイッチ２１より加入者側で故障が発生したと判断する。コントローラ５１は、波長ｌの通信経路が、局側光スイッチ３１、加入者側光スイッチ２１、２２と経由するように、波長ｌの通過する各ポートの変更指示を、各光スイッチへ送信する。各光スイッチの波長ｌの通過するポートの変更が完了し、局側装置４１と加入者側装置１−１、１−２、・・・、１−Ｍの通信が復旧することになる。
【００５７】
なお、前述した説明では、コントローラ５１による外部制御が可能なＷＤＭを使用した光メディアコンバータやＰＯＮとして、例えば、次世代光アクセスシステムであるＮＧ−ＰＯＮ２、ＷＤＭ−ＰＯＮを用いることで実現することができる。
【００５８】
以上説明したように、波長分割多重を組み合わせたＰＯＮにおけるシステムにおいて、局側光スイッチに光検出器を付加し、各光スイッチと局側装置にコントローラを接続することで、自動的に冗長経路へ切替可能なリング型光アクセスネットワークを構築するようにしたため、ファイバ故障発生時に現地へ赴かず適切な冗長経路に切り替えることで通信を復旧することが可能となる。
【００５９】
前述した実施形態におけるリング型光アクセスネットワークの一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００６０】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【産業上の利用可能性】
【００６１】
ファイバ故障発生時の対処として冗長経路へ切替を行う場合と、局側装置の通信設定情報を他の局側装置へ移行する場合を、故障したファイバの場所ごとに対処手法を変更することによって、故障に対して適切な対処が可能となるため、現地へ赴かずに通信復旧を実現することが不可欠な用途に適用できる。
【符号の説明】
【００６２】
１−１〜Ｎ−Ｍ・・・加入者側装置、１１、１２、１３・・・光合分波部、２１、２２、２３・・・加入者側光スイッチ、３１、３２、３３・・・局側光スイッチ、４１、４２、４３・・・局側装置、５１・・・コントローラ、６１・・・光ファイバ伝送路
【図１】
0006470161.tif 000002
【図２】
0006470161.tif 000003
【図３】
0006470161.tif 000004
【図４】
0006470161.tif 000005
【図５】
0006470161.tif 000006
【図６】
0006470161.tif 000007
【図７】
0006470161.tif 000008
【図８】
0006470161.tif 000009
【図９】
0006470161.tif 000010
【図１０】
0006470161.tif 000011
【図１１】
0006470161.tif 000012
【図１２】
0006470161.tif 000013